(57)【要約】【課題】圧縮機のベースフレームへの取り付け作業が容易にでき、かつ圧縮機をベースフレームから外れることなく固定できる冷蔵庫を提供することを目的としている。【解決手段】グロメットと、グロメットの貫通孔に取り付けられるスリーブと、形状が略正方形で、その対角線長さが圧縮機支持部に設けられたグロメット装着孔径より大きいワッシャー１０６と、ワッシャー１０６を予め組み込まれたボルト１０７によって圧縮機をベースフレームに保持することにより、電装部１０９が大型化してもボルトをグロメットに挿入する作業が容易に行うことができ、かつ圧縮機をベースフレームから外れることなく固定できる冷蔵庫を提供することができる。【選択図】図１
2014181747.tif 000002
【特許請求の範囲】
【請求項１】
圧縮機をベースフレームに備える冷蔵庫であって、
前記圧縮機を弾性支持するグロメットと、
前記グロメットの内部に形成されたグロメット貫通孔と、
前記グロメット貫通孔に取り付けられたスリーブと、
前記圧縮機に備えられた圧縮機支持部に設けられたグロメット装着孔と、
前記グロメット装着孔に備えられるワッシャーと、を有し、
前記ワッシャーは、対角線長さよりも短い外形寸法を形成する短寸部を備えるとともに、前記短寸部の寸法はグロメット装着孔径より大きく、前記ワッシャーと前記グロメットと前記圧縮機支持部とをボルトによってベースフレームに保持した冷蔵庫。
【請求項２】
前記ワッシャーは外形が略正方形である請求項１に記載の冷蔵庫。
【請求項３】
前記ワッシャーは外形が略楕円形である請求項１に記載の冷蔵庫。
【請求項４】
前記ワッシャーは外形が略Ｄ形である請求項１に記載の冷蔵庫。
【発明の詳細な説明】
【技術分野】
【０００１】
本発明は、圧縮機をベースフレームに固定した冷蔵庫等に関するものである。
【背景技術】
【０００２】
従来、冷蔵庫は庫内を冷却するための部材として圧縮機が搭載されており、圧縮機は冷蔵庫下部のベースフレームに固定されている。
【０００３】
固定方法は、圧縮機の支持部一般的にネジ式のものである。また、ボルト・ナットで固定する仕様もある。（例えば特許文献１参照）
さらに現状では、ベースフレームにバーリングに加えネジ切り加工を行うことにより、ナットを削減した仕様が一般的である。
【０００４】
以下、図面を参照しながら従来の冷蔵庫について説明する。
【０００５】
図５は従来の圧縮機をベースフレームに取り付けた状態を示す冷蔵庫の側面図、図６は従来の圧縮機を冷蔵庫のベースフレームに取り付けた状態を示すもので（ａ）は上面図、（ｂ）は側面図であり、図７は取り付け部の詳細断面図、図８は取り付け手順を説明する断面図、図９は圧縮機支持部を示す上面図である。
【０００６】
以下、図面を参照しながら本発明の冷蔵庫について説明する。
【０００７】
図５に示すように圧縮機２は、冷蔵庫２の下部に位置するベースフレーム３に、グロメット４を介して固定されている。
【０００８】
グロメット４はゴムなどの緩衝材料で形成され、図７に示すように内部にスリーブ５が挿入される貫通孔と、外径部には圧縮機が取り付く括れ部を有している。
【０００９】
図６に示すように圧縮機２下部には支持部８が形成され、その支持部８には、図８に示すようにグロメット装着孔９が設けられている。
【００１０】
一方、ベースフレーム３のボルト挿入孔は、図７に示すようにバーリング加工が施され内径部はネジ加工されている。ボルト７はそのボルト挿入孔に取り付けられる。円形のワッシャー６は、ボルト７を締めこむことでスリーブ５とグロメット４をベースフレーム３に固定する。また円形のワッシャー６は、外径が前記支持部８のグロメット装着孔９の内径より大きいことで、圧縮機２がグロメット４の括れ部から外れないようになっている。
【００１１】
また、圧縮機と隣接して電装部１０が備えられている。
【００１２】
次に、図９を用いて圧縮機のベースフレームへの取り付け手順を説明する。
（ａ）予め、圧縮機２の支持部の取り付け穴にグロメット４を取り付ける。
（ｂ）その状態でベースフレーム３のボルト挿入孔の位置に設置する。
（ｃ）グロメット４内部にスリーブ５を装填する。
（ｄ）予め、円形のワッシャー６が予め組み込まれたボルト７をスリーブ５内部に通し、インパクトレンチ等でベースフレーム３のボルト挿入孔に締めこむ。
なお、円形のワッシャー６はボルト７に予め組み込まれることで、作業工数を削減している。
【先行技術文献】
【特許文献】
【００１３】
【特許文献１】特開２０１１−０８０７２８号公報
【発明の概要】
【発明が解決しようとする課題】
【００１４】
しかしながら上記従来の構成では、圧縮機の駆動装置を取り付けている電装部１０の形状が大型化した際、円形のワッシャーの外径が大きく、電装部１０との干渉によってグロメットに挿入できないという課題を有していた。
【００１５】
本発明は、上記従来の課題を解決するもので、圧縮機のベースフレームへの取り付けを容易に行える冷蔵庫を提供することを目的としている。
【課題を解決するための手段】
【００１６】
上記従来の課題を解決するために、圧縮機をベースフレームに備える冷蔵庫であって、圧縮機を弾性支持するグロメットと、グロメットの内部に形成されたグロメット貫通孔と、グロメット貫通孔に取り付けられたスリーブと、圧縮機に備えられた圧縮機支持部に設けられたグロメット装着孔と、グロメット装着孔に備えられるワッシャーと、を有し、ワッシャーは、対角線長さよりも短い外形寸法を形成する短寸部を備えるとともに、短寸部の寸法はグロメット装着孔径より大きく、ワッシャーとグロメットと圧縮機支持部とをボルトによってベースフレームに保持したものである。
【００１７】
これにより、ワッシャーの一辺である短寸部の長さが対角線長さより小さく、近接する電装部との距離を大きくとれるので、ワッシャーを組み込んだボルトをグロメットに容易に挿入することができ、また、ワッシャーの対角線長さが圧縮機支持部に設けられたグロメット装着孔径より大きいことから、圧縮機がベースフレームから外れることなく固定できる。
【発明の効果】
【００１８】
本発明は、電装部が大型化しても、圧縮機のベースフレームへの取り付け作業が容易に行うことができる冷蔵庫を提供することができる。
【図面の簡単な説明】
【００１９】
【図１】本発明の実施の形態１における圧縮機をベースフレームに取り付けた状態を示す上面図
【図２】図１のＡＡ断面図
【図３】本発明の実施の形態２における圧縮機をベースフレームに取り付けた状態を示す上面図
【図４】本発明の実施の形態３における圧縮機をベースフレームに取り付けた状態を示す上面図
【図５】従来における冷蔵庫の圧縮機を取り付けた状態を示す側面図
【図６】従来における圧縮機をベースフレームに取り付けた状態を示す上面図と側面図
【図７】従来における圧縮機とベースフレームの固定関係を示す断面図
【図８】従来における圧縮機の支持部を示す上面図
【図９】従来における圧縮機とベースフレームの取り付け手順を示す断面図
【発明を実施するための形態】
【００２０】
第１の発明は、圧縮機をベースフレームに備える冷蔵庫であって、圧縮機を弾性支持するグロメットと、グロメットの内部に形成されたグロメット貫通孔と、グロメット貫通孔
に取り付けられたスリーブと、圧縮機に備えられた圧縮機支持部に設けられたグロメット装着孔と、グロメット装着孔に備えられるワッシャーと、を有し、ワッシャーは、対角線長さよりも短い外形寸法を形成する短寸部を備えるとともに、短寸部の寸法はグロメット装着孔径より大きく、ワッシャーとグロメットと圧縮機支持部とをボルトによってベースフレームに保持したものである。
【００２１】
これにより、ワッシャーの一辺である短寸部の長さが対角線長さより小さく、近接する電装部との距離を大きくとれるので、ワッシャーを組み込んだボルトをグロメットに容易に挿入することができ、また、ワッシャーの対角線長さが圧縮機支持部に設けられたグロメット装着孔径より大きいことから、圧縮機がベースフレームから外れることなく固定できる。
【００２２】
第２の発明は、ワッシャーは外形が略正方形であり、簡単な構成で短寸部を形成することができる。
【００２３】
第３の発明は、ワッシャーは外形が略楕円形であり、曲面をつなげることで剛性の高い構成で短寸部を形成することができる。
【００２４】
第４の発明は、ワッシャーは外形が略Ｄ形であり、曲面をつなげることで剛性の高い構成でワッシャを形成した上で、必要な短寸部を直線で簡単な構成で備えることができる。
【００２５】
（実施の形態１）
以下、図面を参照しながら本発明の冷蔵庫について説明する。
【００２６】
図１は本発明の形態における圧縮機を冷蔵庫のベースフレームに取り付けた状態を示す上面図である。図２は図１のＡＡ断面図である。
【００２７】
図１、図２において、圧縮機１０２は下部に圧縮機支持部１０８が形成され、圧縮機支持部１０８には圧縮機１０２を弾性支持するグロメット１０４の装着孔が設けられている。ベースフレーム１０３のボルト挿入孔は、バーリング加工が施され、内径部はネジ加工されている。また、グロメット１０４は、ゴムなどの緩衝材料で形成され、内部にスリーブ１０５が挿入される貫通孔と、外径部には圧縮機支持部１０８の取り付け穴が取り付く括れ部を有している。
【００２８】
また、隣接して電装部１１０が備えられている。
【００２９】
また、取り付け手順は前述の背景技術と同様のため説明を省略する。
【００３０】
図１において、従来と異なるところは電装部１０９が幅方向で大型化している。従来の円形のワッシャーでは電装部１０９が近接し、ワッシャーを組み込んだボルト１０７は垂直方向から挿入することが困難となる。略正方形のワッシャー１０６が電装部１０９方向に略正方形の対角線が位置する場合には、ボルト１０７と干渉し、ボルト１０７をスリーブ１０５に挿入することができない。
【００３１】
しかしながら、本実施の形態においては、ワッシャー１０６の一辺長さが対角線長さより短く形成している短寸部を備えるため、角度を変えることでボルト１０７は挿入することが可能となる。
【００３２】
図２において、スリーブ１０５に挿入されたボルト１０７が、ねじ締め作業によって最終的にベースフレーム１０３に取り付いた状態の説明をする。
【００３３】
図２は図１のＡＡ断面図であり、スリーブ１０５の対角線方向の断面図である。対角線長さは圧縮機支持部１０８に設けられたグロメット１０４のグロメット装着孔１０９の直径より大きい。よって、圧縮機支持部１０８はワッシャー１０６によって、グロメット１０４から外れない構成となっている。
【００３４】
以上のように本実施の形態においては、グロメット１０４と、グロメット１０４の貫通孔に取り付けられるスリーブ１０５と、形状が略正方形で、その対角線長さが圧縮機支持部に設けられたグロメット装着孔径より大きいワッシャー１０６と、ワッシャー１０６を予め組み込まれたボルト１０７によって圧縮機をベースフレームに保持することにより、電装部１０９が大型化しても、ボルトをグロメットに容易に挿入することができながら、圧縮機がベースフレームから外れることなく固定できる冷蔵庫を提供することができる。
【００３５】
（実施の形態２）
以下、図面を参照しながら本発明の冷蔵庫について説明する。
【００３６】
図３は本発明の形態における圧縮機を冷蔵庫のベースフレームに取り付けた状態を示す上面図である。
【００３７】
実施の形態１と異なるところは、ワッシャー１１６が略楕円形をしているところである。その他については実施の形態１と仕様が同じなので、付与する記号も同じとし、説明を省略する。
【００３８】
図３において、略楕円形のワッシャー１１６は電装部１０９方向に略楕円形の長辺が位置する場合には干渉し、ボルト１０７はスリーブ１０５に挿入することができないが、略楕円形の短辺長さが長辺長さより短い短寸部を備えるため、角度を変えることでボルト１０７は挿入することが可能となる。
【００３９】
スリーブ１０５に挿入されたボルト１０７が、ねじ締め作業によって最終的にベースフレーム１０３に取り付いた状態の説明をする。
【００４０】
図３のＡＡ断面図はワッシャー１１６の長辺方向の断面であり、見掛けの上で図２と同じとなる。
【００４１】
ワッシャー１１６の長辺長さは圧縮機支持部１０８に設けられたグロメット１０４の取付け穴径より大きい。よって、圧縮機支持部１０８はワッシャー１１６によって、グロメット１０４から外れない。
【００４２】
以上のように本実施の形態においては、グロメット１０４と、グロメット１０４の貫通孔に取り付けられるスリーブ１０５と、形状が略楕円形で、その長辺長さが圧縮機支持部に設けられたグロメット装着孔径より大きいワッシャー１１６と、ワッシャー１１６を予め組み込まれたボルト１０７によって圧縮機をベースフレームに保持することにより、電装部１０９が大型化しても、ボルトをグロメットに容易に挿入することができながら、圧縮機がベースフレームから外れることなく固定できる冷蔵庫を提供することができる。
（実施の形態３）
以下、図面を参照しながら本発明の冷蔵庫について説明する。
【００４３】
図４は本発明の形態における圧縮機を冷蔵庫のベースフレームに取り付けた状態を示す上面図である。
【００４４】
実施の形態１と異なるところは、ワッシャー１２６が略Ｄ形をしているところである。その他については実施の形態１と仕様が同じなので、付与する記号も同じとし、説明を省略する。
【００４５】
図４において、略楕円形のワッシャー１２６は電装部１０９方向に略Ｄ形の円周部が位置する場合には干渉し、ボルト１０７はスリーブ１０５に挿入することができないが、略Ｄ形のＤカット部が円周部Ｒ寸法よりボルト中心からの距離が短い短寸部を備えるため、角度を変えることでボルト１０７は挿入することが可能となる。
【００４６】
スリーブ１０５に挿入されたボルト１０７が、ねじ締め作業によって最終的にベースフレーム１０３に取り付いた状態の説明をする。
【００４７】
図３のＡＡ断面図はワッシャー１２６の長辺方向の断面であり、見掛けの上で図２と同じとなる。
【００４８】
ワッシャー１２６の円周部の最大長が圧縮機支持部１０８に設けられたグロメット１０４の取付け穴径より大きい。よって、圧縮機支持部１０８はワッシャー１１６によって、グロメット１０４から外れない。
【００４９】
以上のように本実施の形態においては、グロメット１０４と、グロメット１０４の貫通孔に取り付けられるスリーブ１０５と、形状が略楕円形で、その円周部の最大長が圧縮機支持部に設けられたグロメット装着孔径より大きいワッシャー１０６と、ワッシャー１０６を予め組み込まれたボルト１０７によって圧縮機をベースフレームに保持することにより、電装部１０９が大型化しても、ボルトをグロメットに容易に挿入することができながら、圧縮機がベースフレームから外れることなく固定できる冷蔵庫を提供することができる。
【産業上の利用可能性】
【００５０】
以上のように本発明は、
電装部が隣接した圧縮機において電装部が大型化しても、ボルトをグロメットに容易に挿入することができ、かつ圧縮機をベースフレームから外れることなく確実固定できるので、冷蔵庫に加え、電装部が圧縮機と隣接された装置であれば、自動販売機等の機器にも適用することができる。
【符号の説明】
【００５１】
１０２  圧縮機
１０３  ベースフレーム
１０４  グロメット
１０５  スリーブ
１０６、１１６、１２６  ワッシャー
１０７  ボルト
１０８  圧縮機支持部
【図１】
2014181747.tif 000003
【図２】
2014181747.tif 000004
【図３】
2014181747.tif 000005
【図４】
2014181747.tif 000006
【図５】
2014181747.tif 000007
【図６】
2014181747.tif 000008
【図７】
2014181747.tif 000009
【図８】
2014181747.tif 000010
【図９】
2014181747.tif 000011